(57)【要約】
【課題】手で把持して振るだけで一次品に充分な摩擦を与えることのできる球状装飾品の作成玩具を提供する。
【解決手段】本考案に係る球状装飾品の作成玩具は、球形核体７の表面に、石けん水８を含ませた羊毛９を付着させた一次品１０を収容する容器２を、分割可能に設け、該容器２の内面空間１１を偏球面（非真球）に形成し、該内面空間内に一次品を収容して偏球面の長方向に容器を振ることにより、容器内で一次品の移動量が大きく確保でき、その分だけ一次品の表面への摩擦力が増大し、表面の石けん水を含んだ羊毛を少ない時間で充分にフェルト化させることができるように構成した。
【選択図】図１
0003100079.tif 000002
【実用新案登録請求の範囲】
【請求項１】
　球形核体の表面に、石けん水を含ませた羊毛を付着させた一次品を収容する容器を分割可能に設け、該容器の内面空間を偏球面に形成したことを特徴とする球状装飾品の作成玩具。
【請求項２】
　球形核体の表面に、石けん水を含ませた羊毛を付着させた一次品を収容する容器を分割可能に設け、該容器の内面空間を偏球面に形成し、前記分割面に、前記内面空間を合致させた状態で一方を他方に対して一方向に廻すと係止し、逆方向に廻すと離脱可能になる結合手段を設けたことを特徴とする球状装飾品の作成玩具。
【考案の詳細な説明】
【技術分野】
【０００１】
　本考案は石けん水と摩擦により球形核体の表面に羊毛をフェルト化させる球状装飾品の作成玩具に関するものである。
【背景技術】
【０００２】
　従来、この種の球状装飾品の作成玩具には２種ある。第１の作成玩具を図５に示す。これは球形核体の表面に石けん水を含ませた羊毛を付着させた一次品５１を収容した容器５２を投入できる器具５３を備えている。該器具５３はハンドル５４の操作によりカム５５と押し上げバネ５６の作用で床面５７が枢軸５８を中心にシーソー状に揺動するようになっているものである。即ち、一次品５１を収容した容器５２はハンドル操作により床面５７上を転がるから、該容器５２内の一次品は表面が容器内面に触れて摩擦され、石けん水を含んだ羊毛がフェルト化するものである。
【０００３】
　第２の作成玩具を図６に示す。これは球形核体の表面に石けん水を含ませた羊毛を付着させた一次品６１をセットする器具６２を備えている。該器具６２は前記一次品６１を挟み込む対面する２枚の板体６３、６４を有し、上板体６３は手動で下向きに押し、下板体６４はハンドル６５の操作により水平方向に回転するようになっているものである。すなわち、下板体６４上に一次品６１を直に乗せた後、該一次品６１の上から上板体６３を当て、該上板体６３の軸棒６３′を一方の手で下向きに押しつつ他方の手でハンドル６５を操作すると下板体６４が水平回転し、２枚の板体６３、６４間の一次品６１は表面が摩擦され、石けん水を含んだ羊毛がフェルト化するものである。
【考案の開示】
【考案が解決しようとする課題】
【０００４】
　しかしながら、上記第１の作成玩具５３は、一次品５１を収容した容器５２が揺動する床面５７上で転がるためには、該容器は、図示の如く真球体でなければならず、したがって、一次品５１が転動する容器５２内での移動量が少なく、容器５２の内面から受ける摩擦力には限界があり、フェルト化が不十分になることがあった。また、容器５２には床面５７上での転動時の衝撃のため、転動中に容器が結合部より割れてフェルト化する過程にある一次品が飛び出てしまうおそれがあった。一方、上記第２の作成玩具６２は上下板体６２、６３間で押え付けられる一次品６１に対する押え力にバラツキが生じたり、押え力が強すぎたためにフェルト化した羊毛にフワフワ感がでないという問題があった。
【０００５】
　本考案は、上記問題を解消するためのもので、その目的とするところは、ハンドル操作によりシーソー状に揺動させる床面を有する器具、或いは手で押える上板体とハンドル操作により回転する下板体を備えた器具などを一切使用せずに、単に、手で把持して一定方向に振るだけで一次品に充分な摩擦を与えることのできる球状装飾品の作成玩具を提供することにある。
【課題を解決するための手段】
【０００６】
　上記目的を達成するため、本考案の球状装飾品の作成玩具は、球形核体の表面に、石けん水を含ませた羊毛を付着させた一次品を収容する容器を分割可能に設け、該容器の内面空間を偏球面に形成したものである。
【０００７】
　また、請求項２に記載の考案の球状装飾品の作成玩具は、球形核体の表面に、石けん水を含ませた羊毛を付着させた一次品を収容する容器を分割可能に設け、該容器の内面空間を偏球面に形成し、前記分割面に前記内面空間を合致させた状態で一方を他方に対して一方向に廻すと係止し、逆方向に廻すと離脱可能になる結合手段を設けたものである。
【考案の効果】
【０００８】
　本考案の球状装飾品の作成玩具は、球形核体の表面に、石けん水を含ませた羊毛を付着させた一次品を収容する容器を分割可能に設け、該容器の内面空間を偏球面に形成したから、該内面空間内に一次品を収容して偏球面の長径方向に容器を振ることにより、容器内で一次品の移動量が大きく確保でき、その分だけ一次品の表面への摩擦力が増大し、表面の石けん水を含んだ羊毛を少ない時間で充分にフェルト化させることができ、しかも、構成が簡単で、一般に安価に提供できるなど各種の優れた効果を奏するものである。
【０００９】
　また、請求項２に記載の考案の球状装飾品の作成玩具は、球形核体の表面に、石けん水を含ませた羊毛を付着させた一次品を収容する容器を分割可能に設け、該容器の内面空間を偏球面に形成し、前記分割面に、前記内面空間を合致させた状態で一方を他方に対して一方向に廻すと係止し、逆方向に廻すと離脱可能になる結合手段を設けたから、容器を分割後、その内面空間内に一次品を収容した後、内面空間を合致させた状態で一方を他方に対して一方向に廻すと両部分は簡易にしかも確実に一体化し、容器の振り作動が容易になる。また、フェルト化後、容器を結合時と逆方向に廻すだけで、容易に分割開放させることが可能となるなど、各種の優れた効果を奏するものである。
【考案を実施するための最良の形態】
【００１０】
　本願作成玩具１は、図１の如く、分割可能に設けた容器２からなる。該容器２は、図示していないが、３分割またはそれ以上の複数部分に分割可能にしてもよいが、図示の例では、分割部３から２つの部分Ａ、Ｂに分割可能にした場合を示している。しかして、各部分Ａ、Ｂの分割部３には鍔状の突合せ面４、５を備えている。
【００１１】
　前記部分Ａ、Ｂのうち、一方の部分Ｂを、その内面空間１１が上向きになるように支持し、図２の如く、球形核体７の表面に、洗面器などの容器６に溜めた石けん水８を含ませた羊毛９を付着させた一次品１０を、内面空間に収容する。そして、他方の部分Ａをその内面空間が下向きになるように支持し、図３の如く、突合せ面４、５を突合せて分割部３を結合させる。しかる後、図４の如く、２つの部分Ａ、Ｂが離反しないように手指で押え込むようにして容器２をつかみ、矢印イ及びロのように繰り返し振って内面空間１１内で前記一次品１０を転動させるようにするものである。
【００１２】
　前記容器２の内面空間１１は偏球面（非真球面）に形成されている。内面空間１１が偏球面であると、該空間１１内には長径方向と短径方向ができ、容器２を振る際に長径方向（図４参照）に行うと、容器２内での一次品１０の移動量が大きくなり、その分だけ一次品１０の表面への摩擦力が増大することとなる。ここに偏球面とは、タマゴ型に代表されるように非真球の球面であればよい。
【００１３】
　前記容器２の部分Ｂの突合せ面５の周縁には立ち上がりリブ１２が設けられ、該リブ１２にて囲まれた領域内に、部分Ａの突合せ面４の周縁１３がピッタリ嵌入するようになっている。これは部分Ａ、Ｂのそれぞれの突合せ面４と５を突合せることにより内面空間１１を合致させる位置決め機能になっている。
【００１４】
　また、部分Ｂの突合せ面５の周縁の立ち上がりリブ１２の等配位置（図示の場合は四等配しているがこれに限らない）には、内側に鉤形に屈曲させた係止片１４を設ける一方、部分Ａの突合せ面４の周縁１３の等配位置には前記係止片１４が通過できる凹欠部１５を設けている。したがって、これら係止片１４と凹欠部１５を合致させると、両部分Ａ、Ｂの突合せ面４と５は突合うから、合致した内面空間１１の合致状態を維持しつつ一方（例えば部分Ａ）を、他方（例えば部分Ｂ）に対して一方向に廻すと、係止片１４と凹欠部１５の隣接する周縁１３が係止し、逆方向に廻すと係止片１４と凹欠部１５とが再度合致して離脱可能になるという結合手段１６が設けられている。
【００１５】
　前記容器２は、プラスチック成形品で構成して満足できる。前記球形核体７はプラスチック発泡体が使用される。プラスチック発泡体は表面が粗である上に、軽量にして一定の弾力があり、針などの金具を突き刺すことも可能である点で好ましい。また、前記石けん水８は、湯や水に少量の洗剤を混入して得る。該石けん水は、羊毛の繊維間の滑りを良くし、かつ羊毛のフェルト化に寄与する。前記羊毛９は、繊維の表面にあるキューティクルという一方向を向いた細かい鱗状片が石けん水８を含むことにより広がって絡み易くなる特性がある。
【００１６】
　次に、本考案の作用を説明する。まず、図２の如く、球形核体７の表面に石けん水８を含ませた羊毛９を矢印の順に付着させて一次品１０を得る。次いで、作った一次品１０は表面に過剰水があるときは、ハンカチやタオルを当てて過剰分を取ってから図１の如く、容器２の部分Ｂの内面空間に入れ、これに部分Ａの内面空間を被せる。この場合、突合せ面４、５を突合せ、一方向に廻して結合させると、一次品１０は両部分Ａ、Ｂの内面空間１１に収容される。
【００１７】
　次に、図４の如く、２つの部分Ａ、Ｂが離反しないように手指で押え込むようにして容器２をつかみ、矢印イ及びロのように一定の強さで繰り返し振る。この振り方向は偏球面（非真球面）に形成されている内面空間１１の長径方向と一致し、一次品１０の移動量を大きくとれる。これにより一次品１０は容器２の内面空間１１において転動中に充分なる摩擦力を受けることとなる。
【００１８】
　上記振り作動は１〜２分程度で一次品１０の表面を覆った羊毛９はフェルト化し、フワフワの羊毛に覆われた装飾品が完成する。
【産業上の利用可能性】
【００１９】
　本願装飾品の作成玩具は、いくつもの装飾品を作り、これに布の端切れなどを利用して目や口の形に切り抜きボンドにより接着して顔にしたり、また、布の端切れなどを洋服の形に切り抜いて同様にボンドにより接着して胴体にしたりすることも可能となるし、これら目や口を設けた装飾品と洋服を着けた装飾品とを糸で縫うなどして結合させて人形を完成させることもできる。
【図面の簡単な説明】
【００２０】
【図１】本願作成玩具を分割した状態を示す斜視図である。
【図２】本願作成玩具に収容するための一次品の作成手順を示す説明図である。
【図３】一次品を収容した本願作成玩具の断面図である。
【図４】本願作成玩具を振っている状態を示す斜視図である。
【図５】ハンドル操作によりシーソー状に揺動させる床面を備えた器具（第１の従来例）を示す略示的説明図である。
【図６】手で押える上板体とハンドル操作により回転する下板体とを備えた器具（第２の従来例）を示す略示的説明図である。
【符号の説明】
【００２１】
　１　本願作成玩具
　２　容器
　Ａ、Ｂ　２つの部分
　３　分割部
　４、５　突合せ面
　６　洗面器などの容器
　７　球形核体
　８　石けん水
　９　羊毛
　１０　一次品
　１１　内面空間
　１２　リブ
　１３　周縁
　１４　係止片
　１５　凹欠部
　１６　結合手段
【図１】
0003100079.tif 000003
【図２】
0003100079.tif 000004
【図３】
0003100079.tif 000005
【図４】
0003100079.tif 000006
【図５】
0003100079.tif 000007
【図６】
0003100079.tif 000008